(57)【要約】【課題】受信レベルの測定時間短縮化及び受信レベルの安定化を図ることができる受信ダイバーシティ回路及びそれを備えたダイバーシティ受信機を提供すること。【解決手段】ダイバーシティ受信機１０は、抵抗Ｒ及びコンデンサＣ１を有しＲＳＳＩ信号の波形を整形する波形整形回路１５と、波形整形回路１５の接地側に端子の一端が接続されたコンデンサＣ２と、コンデンサＣ２の端子の他端が接続され、端子１６ａ及び端子１６ｂを選択的に切り替える第２スイッチ１６とを備え、第２スイッチ１６は、端子１６ｂを選択することにより、波形整形回路１５のコンデンサＣ１に蓄積された電荷の一部をコンデンサＣ２に移動させて蓄積させ、端子１６ａを選択することにより、コンデンサＣ２が蓄積した電荷を接地に放出する構成を備える。【選択図】図１
2010050523.tif 000002
【特許請求の範囲】
【請求項１】
複数のアンテナを選択的に切り替えるアンテナ切替手段と、前記アンテナ切替手段が選択した一のアンテナの受信信号を波形整形する波形整形手段と、波形整形した前記受信信号の受信レベルを測定する受信レベル測定手段と、前記受信レベル測定手段が前記一のアンテナの受信レベルを測定した後であって前記アンテナ切替手段が次に選択するアンテナに切り替えるアンテナ切替時に、前記波形整形手段と前記受信レベル測定手段との間において前記一のアンテナの受信レベルを予め定めたレベルだけ降下させる受信レベル降下手段とを備えたことを特徴とする受信ダイバーシティ回路。
【請求項２】
前記アンテナ切替手段が選択した一のアンテナの受信信号の強度を示す受信強度表示信号を前記一のアンテナの受信信号として前記波形整形手段に出力する受信強度表示信号出力手段を備え、
前記受信レベル降下手段は、前記受信強度表示信号の受信レベルを予め定めたレベルだけ降下させるものであることを特徴とする請求項１に記載の受信ダイバーシティ回路。
【請求項３】
前記受信レベル降下手段は、前記受信レベル測定手段の測定最小分解能に相当するレベルよりも大きいレベルを前記予め定めたレベルとして降下させるものであることを特徴とする請求項１又は請求項２に記載の受信ダイバーシティ回路。
【請求項４】
前記波形整形手段は、前記一のアンテナの受信信号の電荷を蓄積する受信信号電荷蓄積部を備え、
前記受信レベル降下手段は、前記受信信号電荷蓄積部が蓄積した電荷を前記アンテナ切替時に放電するものであることを特徴とする請求項１から請求項３までのいずれか１項に記載の受信ダイバーシティ回路。
【請求項５】
前記受信レベル降下手段は、前記受信信号電荷蓄積部が蓄積した電荷を予め定めた時間蓄積する電荷蓄積部と、前記予め定めた時間蓄積した電荷を前記予め定めた時間の経過後に接地に放出する電荷放出部とを備えたことを特徴とする請求項４に記載の受信ダイバーシティ回路。
【請求項６】
請求項１から請求項５までのいずれか１項に記載の受信ダイバーシティ回路と、前記複数のアンテナと、前記受信レベル測定手段が測定した前記受信レベルに基づいて前記アンテナ切替手段の動作切替を制御するアンテナ切替制御手段とを備えたことを特徴とするダイバーシティ受信機。
【発明の詳細な説明】
【技術分野】
【０００１】
本発明は、複数のアンテナから信号を受信する受信ダイバーシティ回路及びそれを備えたダイバーシティ受信機に関する。
【背景技術】
【０００２】
従来、無線ＬＡＮ（Local Area Network）を利用したシステムにおいて、送信機側でデータをパケットに分割して送信し、受信機側で選択ダイバーシティ方式によりデータパケットを受信するものが知られている。無線ＬＡＮの規格としては、例えばＩＥＥＥ８０２．１１ａ規格がある。図６は、ＩＥＥＥ８０２．１１ａ規格に準拠したプリアンブル信号の構成を示している。
【０００３】
図６に示すように、プリアンブル信号は、実データを含むデータパケットの先頭に付加されている。プリアンブル信号のうち、先頭のｔ１〜ｔ７で示す各セクションは、選択ダイバーシティ方式で利用される信号領域である。例えば、アンテナ１及び２を用いて受信する場合、ｔ１〜ｔ３セクションの信号をアンテナ１の受信レベル測定に、ｔ４〜ｔ６セクションの信号をアンテナ２の受信レベル測定に、ｔ７セクションの信号をＡＧＣ（Automatic Gain Control）処理に、それぞれ利用できるようになっている。ここで、ｔ１〜ｔ７セクションの信号の時間長は各０．８μsなので、アンテナ１及び２の受信レベル測定時間は共に２．４μs、ＡＧＣ処理の時間は０．８μsである。このように、選択ダイバーシティ方式で信号を受信するためには、アンテナ１及び２のＲＳＳＩ電圧の測定を非常に短時間で行う必要がある。
【０００４】
従来の受信装置においては、アンテナ１及び２の受信電力に相当する受信強度表示信号（RSSI：Received Signal Strength Indicator）電圧を測定し、このＲＳＳＩ電圧に基づいてＡＧＣ処理を行うのが一般的である（例えば、特許文献１参照）。そして、従来の受信装置では、特許文献１に示されているように、ＲＳＳＩ回路の後段にＲＳＳＩ電圧信号波形を整形する波形整形回路が付加されており、ＲＳＳＩ電圧信号が平滑化されるようになっている。波形整形回路にはコンデンサが設けられており、アンテナ１よりもアンテナ２の受信電力が大きい場合は、コンデンサに電荷が充電され、アンテナ１よりもアンテナ２の受信電力が小さい場合は、コンデンサに蓄積された電荷が放電される。
【０００５】
この充放電の時間に関して、従来方式の波形整形回路を備えた構成では、波形整形回路のコンデンサの充電特性の応答時間は時定数が小さいため短いが、放電特性の応答時間は時定数が大きいため長くなり、放電時のＲＳＳＩ電圧の測定に時間がかかるという課題があった。
【０００６】
そこで、波形整形回路の時定数を小さくすることによってＲＳＳＩ電圧の応答を短縮する手法（例えば、特許文献２参照）を用いて、ＲＳＳＩ電圧の測定を高速化することが考えられる。
【特許文献１】特開２００６−１９７６５４号公報
【特許文献２】特開２００７−１５０５３３号公報
【発明の開示】
【発明が解決しようとする課題】
【０００７】
しかしながら、特許文献２に記載のように波形整形回路の時定数を小さくすると受信信号の平滑化が十分に行えなくなってしまい、受信レベルが不安定となって正確な受信レベルが得られず、適切なＡＧＣ処理が行えないという課題があった。
【０００８】
本発明は、前述のような事情に鑑みてなされたものであり、受信レベルの測定時間短縮化及び受信レベルの安定化を図ることができる受信ダイバーシティ回路及びそれを備えたダイバーシティ受信機を提供することを目的とする。
【課題を解決するための手段】
【０００９】
本発明の受信ダイバーシティ回路は、複数のアンテナを選択的に切り替えるアンテナ切替手段と、前記アンテナ切替手段が選択した一のアンテナの受信信号を波形整形する波形整形手段と、波形整形した前記受信信号の受信レベルを測定する受信レベル測定手段と、前記受信レベル測定手段が前記一のアンテナの受信レベルを測定した後であって前記アンテナ切替手段が次に選択するアンテナに切り替えるアンテナ切替時に、前記波形整形手段と前記受信レベル測定手段との間において前記一のアンテナの受信レベルを予め定めたレベルだけ降下させる受信レベル降下手段とを備えた構成を有している。
【００１０】
この構成により、本発明の受信ダイバーシティ回路は、一のアンテナの受信レベルを測定した後に該受信レベルを予め定めたレベルだけ降下させることにより、次に測定するアンテナの受信レベルの測定時間を従来のものより短縮することができるので、受信レベルの測定時間短縮化を図ることができる。また、本発明の受信ダイバーシティ回路は、従来のものとは異なり、波形整形手段の時定数を小さくする必要がないので、受信レベルの安定化を図ることができる。
【００１１】
また、本発明の受信ダイバーシティ回路は、前記アンテナ切替手段が選択した一のアンテナの受信信号の強度を示す受信強度表示信号を前記一のアンテナの受信信号として前記波形整形手段に出力する受信強度表示信号出力手段を備え、前記受信レベル降下手段は、前記受信強度表示信号の受信レベルを予め定めたレベルだけ降下させるものである構成を有している。
【００１２】
この構成により、本発明の受信ダイバーシティ回路は、受信強度表示信号に基づいて受信レベルの測定時間短縮化及び受信レベルの安定化を図ることができる。
【００１３】
なお、前記受信レベル降下手段は、前記受信レベル測定手段の測定最小分解能に相当するレベルよりも大きいレベルを前記予め定めたレベルとして降下させるのが好ましい。
【００１４】
さらに、本発明の受信ダイバーシティ回路は、前記波形整形手段は、前記一のアンテナの受信信号の電荷を蓄積する受信信号電荷蓄積部を備え、前記受信レベル降下手段は、前記受信信号電荷蓄積部が蓄積した電荷を前記アンテナ切替時に放電するものである構成を有している。
【００１５】
この構成により、本発明の受信ダイバーシティ回路は、一のアンテナの受信レベルを測定した後に該受信レベルを予め定めたレベルだけ降下させ、次のアンテナの受信レベル測定を開始できる状態が得られる。
【００１６】
さらに、本発明の受信ダイバーシティ回路は、前記受信レベル降下手段は、前記受信信号電荷蓄積部が蓄積した電荷を予め定めた時間蓄積する電荷蓄積部と、前記予め定めた時間蓄積した電荷を前記予め定めた時間の経過後に接地に放出する電荷放出部とを備えた構成を有している。
【００１７】
この構成により、本発明の受信ダイバーシティ回路は、一のアンテナの受信レベルを測定した後に該受信レベルを予め定めたレベルだけ降下させた後、次のアンテナの受信レベル測定を開始できる状態が得られる。
【００１８】
本発明のダイバーシティ受信機は、受信ダイバーシティ回路と、前記複数のアンテナと、前記受信レベル測定手段が測定した前記受信レベルに基づいて前記アンテナ切替手段の動作切替を制御するアンテナ切替制御手段とを備えた構成を有している。
【００１９】
この構成により、本発明のダイバーシティ受信機は、受信レベルの測定時間短縮化及び受信レベルの安定化が図られた受信ダイバーシティ回路を備えるので、アンテナ切替制御手段によって、高い受信レベルが得られるアンテナに切り替えながら、適切なＡＧＣ処理が行えるダイバーシティ受信を実現することができる。
【発明の効果】
【００２０】
本発明は、受信レベルの測定時間短縮化及び受信レベルの安定化を図ることができるという効果を有する受信ダイバーシティ回路及びそれを備えたダイバーシティ受信機を提供することができるものである。
【発明を実施するための最良の形態】
【００２１】
以下、本発明の実施形態について図面を用いて説明する。
【００２２】
まず、本発明の一実施形態におけるダイバーシティ受信機の構成について説明する。
【００２３】
図１に示すように、本実施形態におけるダイバーシティ受信機１０は、第１アンテナ１１及び第２アンテナ１２、第１スイッチ１３、ＲＳＳＩ回路１４、波形整形回路１５、コンデンサＣ２、第２スイッチ１６、Ａ／Ｄ変換回路１７、ＲＳＳＩ電圧判定回路１８、レジスタ１９を備えている。また、ダイバーシティ受信機１０は、アンテナ切替制御回路２０、ＲＳＳＩ電圧制御回路２１、ＡＧＣ回路２２、Ａ／Ｄ変換回路２３、復調回路２４を備えている。
【００２４】
第１スイッチ１３は、後述するアンテナ切替制御回路２０からの制御信号に応じて、第１アンテナ１１及び第２アンテナ１２を選択的に切り替えるようになっている。この切替により、第１スイッチ１３は、第１アンテナ１１又は第２アンテナ１２が受信した受信信号を、ＲＳＳＩ回路１４及びＡＧＣ回路２２に出力するようになっている。なお、第１スイッチ１３は、本発明に係るアンテナ切替手段を構成する。
【００２５】
ＲＳＳＩ回路１４は、第１アンテナ１１又は第２アンテナ１２が受信した受信信号を対数増幅する対数増幅回路と、対数増幅した信号を包絡線検波する包絡線検波回路とを備えている。この構成により、ＲＳＳＩ回路１４は、第１アンテナ１１又は第２アンテナ１２が受信した受信信号の強度を示すＲＳＳＩ信号を波形整形回路１５に出力するようになっており、その出力部はエミッタフォロワにより構成されているものとする。なお、ＲＳＳＩ回路１４は、本発明に係る受信強度表示信号出力手段を構成する。
【００２６】
波形整形回路１５は、抵抗Ｒ及びコンデンサＣ１を備え、ＲＳＳＩ信号の波形を整形してＡ／Ｄ変換回路１７に出力するようになっている。なお、波形整形回路１５は、本発明に係る波形整形手段を構成する。また、コンデンサＣ１は、本発明に係る受信信号電荷蓄積部を構成する。
【００２７】
波形整形回路１５の接地側にはコンデンサＣ２の端子の一端が接続されている。また、コンデンサＣ２の端子の他端は第２スイッチ１６に接続されている。
【００２８】
第２スイッチ１６は、コンデンサＣ２の他端を接地側に接続する端子１６ａと、コンデンサＣ２の他端を波形整形回路１５の正電位側に接続する端子１６ｂとを備えている。また、第２スイッチ１６は、後述するＲＳＳＩ電圧制御回路２１からの制御信号に応じて、端子１６ａ及び端子１６ｂを選択的に切り替えるようになっている。なお、コンデンサＣ２及び第２スイッチ１６は、本発明に係る受信レベル降下手段を構成する。また、コンデンサＣ２は、本発明に係る電荷蓄積部を構成し、第２スイッチ１６は、本発明に係る電荷放出部を構成する。
【００２９】
この構成により、コンデンサＣ１に電荷が蓄積された後において、第２スイッチ１６は、まず、端子１６ｂを選択することにより、波形整形回路１５のコンデンサＣ１に蓄積された電荷の一部をコンデンサＣ２に移動させて蓄積させ、次に、端子１６ａを選択することにより、コンデンサＣ２が蓄積した電荷を接地に放電することができる。したがって、コンデンサＣ２及び第２スイッチ１６は、コンデンサＣ２の容量を適切に選択することにより、ＲＳＳＩ信号のレベルに対して所望の電圧、例えば後述するＲＳＳＩ電圧判定回路１８の測定最小分解能の４倍に相当する電圧だけ降下させることができる。
【００３０】
Ａ／Ｄ変換回路１７は、波形整形回路１５が出力するアナログ信号であるＲＳＳＩ信号をデジタル信号に変換してＲＳＳＩ電圧判定回路１８に出力するようになっている。
【００３１】
ＲＳＳＩ電圧判定回路１８は、ＲＳＳＩ電圧を測定するようになっている。また、ＲＳＳＩ電圧判定回路１８は、第１アンテナ１１のＲＳＳＩ電圧と、第２アンテナ１２のＲＳＳＩ電圧とを比較して、どちらのアンテナのＲＳＳＩ電圧が高いかを判定し、ＲＳＳＩ電圧が高い方のアンテナに切り替えるためのアンテナ切替制御信号をアンテナ切替制御回路２０に出力するようになっている。また、ＲＳＳＩ電圧判定回路１８は、ＲＳＳＩ電圧の判定後に第２スイッチ１６を切り替えてＲＳＳＩ電圧を降下させるためのＲＳＳＩ電圧制御信号をＲＳＳＩ電圧制御回路２１に出力するようになっている。また、ＲＳＳＩ電圧判定回路１８は、ＲＳＳＩ電圧を示すＲＳＳＩ電圧信号をＡＧＣ回路２２に出力するようになっている。ここで、ＲＳＳＩ電圧判定回路１８は、本発明に係る受信レベル測定手段を構成する。
【００３２】
なお、本実施形態では、ＲＳＳＩ回路１４の出力電圧範囲を０Ｖ〜１．５Ｖとし、Ａ／Ｄ変換回路１７が８ビットの分解能を有するものとする。したがって、ＲＳＳＩ電圧判定回路１８は、０．００６Ｖの測定最小分解能を有することとなる。
【００３３】
レジスタ１９は、ＲＳＳＩ電圧判定回路１８が測定したＲＳＳＩ電圧のデータを一時的に保持するようになっている。
【００３４】
アンテナ切替制御回路２０は、ＲＳＳＩ電圧判定回路１８が出力するアンテナ切替制御信号に基づき、ＲＳＳＩ電圧が高い方のアンテナを選択するようになっている。なお、アンテナ切替制御回路２０は、本発明に係るアンテナ切替制御手段を構成する。
【００３５】
ＲＳＳＩ電圧制御回路２１は、ＲＳＳＩ電圧判定回路１８が出力するＲＳＳＩ電圧制御信号に基づき、端子１６ａ及び１６ｂのいずれかを選択するようになっている。
【００３６】
ＡＧＣ回路２２は、ＲＳＳＩ電圧判定回路１８が出力するＲＳＳＩ電圧信号を入力し、このＲＳＳＩ電圧信号に基づき、第１スイッチ１３が選択したアンテナの受信信号に対してＡＧＣ処理を行い、その信号をＡ／Ｄ変換回路２３に出力するようになっている。
【００３７】
Ａ／Ｄ変換回路２３は、ＡＧＣ回路２２の出力信号であるアナログ信号をデジタル信号に変換し、復調回路２４に出力するようになっている。
【００３８】
復調回路２４は、Ａ／Ｄ変換回路２３がデジタル信号に変換した受信信号を入力して処理するようになっている。
【００３９】
なお、以上の構成において、第１スイッチ１３、ＲＳＳＩ回路１４、波形整形回路１５、コンデンサＣ２、第２スイッチ１６、Ａ／Ｄ変換回路１７及びＲＳＳＩ電圧判定回路１８は、本発明に係る受信ダイバーシティ回路を構成する。
【００４０】
次に、第１アンテナ１１から第２アンテナ１２に切り替える際に生じるＲＳＳＩ回路１４の充放電特性について、従来のものと比較しながら説明する。ここで、本実施形態におけるＲＳＳＩ回路１４の出力側には、本発明に係る受信レベル降下手段としてのコンデンサＣ２及び第２スイッチ１６が接続されているが、従来方式のＲＳＳＩ回路１４には受信レベル降下手段は接続されていない構成である。なお、従来のものの説明において、本実施形態の構成要素と同じ符号を付して説明する。
【００４１】
まず、図２は、従来方式のＲＳＳＩ回路１４における充電特性３１及び放電特性３２を示している。図２に示すように、第１アンテナ１１から第２アンテナ１２に切り替えた後において、放電特性３２は比較的緩やかに減衰するのに対し、充電特性３１は短時間で上昇し安定状態になる。これは、充放電時の時定数が互いに異なることに起因しており、放電時の時定数は波形整形回路１５のＲ及びＣ１で決定されるのに対し、充電時の時定数はＲＳＳＩ回路１４の内部抵抗とＣ１とでほぼ決まるからである。具体例を挙げれば、Ｒ＝７．５ｋΩ、Ｃ１＝１０００ｐＦ、ＲＳＳＩ回路１４の内部抵抗＝５０Ωである。
【００４２】
アンテナ切替後における第２アンテナ１２の受信レベル判定時間は、以下の時間を考慮して決定される。
（１）アンテナ切替時から充電特性が安定するまでの時間（以下「充電特性安定時間」という。）
第１アンテナ１１よりも第２アンテナ１２の受信レベルが高い場合は、第２アンテナ１２の受信レベルでＡＧＣ処理を行うため、アンテナ切替時から充電特性安定時間だけ待機する必要がある。
（２）アンテナ切替時から放電特性が基準値分低下するまでの時間（以下「放電低下時間」という。）
第１アンテナ１１よりも第２アンテナ１２の受信レベルが低い場合は、第１アンテナ１１の受信レベルでＡＧＣ処理を行うため、充電特性安定時間だけ待機する必要はない。しかしながら、第２アンテナ１２の受信レベルが第１アンテナ１１に比べて低いことを検出するため、放電低下時間を考慮する必要がある。
【００４３】
通常、放電電圧は緩やかに減衰することから、放電低下時間の方が充電特性安定時間よりも長い。よって、従来方式では、放電低下時間を考慮して第２アンテナ１２の受信レベル判定時間が決定されていた。
【００４４】
以上より、放電低下時間を短縮することで受信アンテナダイバーシティに要する時間を短縮できることがわかる。
【００４５】
では、具体的に放電低下時間はどれくらいかを確認する。放電低下時間を判断するための基準値をＲＳＳＩ電圧判定回路１８の測定最小分解能×４と定義すると、その値は０．０２４Ｖとなる。つまり、第１アンテナ１１から第２アンテナ１２に切り替えた場合、０．０２４Ｖ以上の電圧降下があれば、第２アンテナ１２の方が第１アンテナ１１よりも受信レベルが低いと判定することができる。なお、基準値を"測定最小分解能×４"としたのは受信レベルの揺れによる誤判定を防ぐためであり、これに限定されない。
【００４６】
図２に示すように、従来方式では、第１アンテナ１１から第２アンテナ１２に切り替わった後、基準値（０．０２４Ｖ）分の電圧が低下するまでの時間は、約０．４μｓである。
【００４７】
次に、本発明では、アンテナ切替時に、コンデンサＣ１に並列にコンデンサＣ２を接続することにより、基準値分の電圧を瞬時に低下させることができる。
【００４８】
ＲＳＳＩ電圧を基準値（０．０２４Ｖ）分低下させるには、第１アンテナ１１の受信レベルのＲＳＳＩ電圧をＶａｎｔ１（例えば０．８４Ｖ）とすると、［数１］を満たすようコンデンサＣ１及びＣ２の値を選べばよい。
【００４９】
【数１】
2010050523.tif 000003
【００５０】
本発明によるＲＳＳＩ回路１４の充放電特性を図３に示す。図３は、本発明における充電特性４１及び放電特性４２と、比較のため従来方式の放電特性３２とを示している。図３に示すように、本発明によれば、受信レベル降下手段によって、ＲＳＳＩ電圧を基準値分、瞬時に低下させることができる。よって、放電特性４２の立ち下がりに要する時間が大幅に短縮されることになる。
【００５１】
前述のように従来方式では放電低下時間の方が充電特性安定時間よりも長いが、本発明によれば、充電特性安定時間の方が放電低下時間よりも長くなる。したがって、本発明では、第１アンテナ１１から第２アンテナ１２に切り替えた後、充電特性安定時間だけ待機した後にＲＳＳＩ電圧の測定を行えば、第２アンテナ１２の受信レベル判定が適切に行えることとなる。
【００５２】
本実施形態では、コンデンサＣ１、抵抗Ｒ及びＲＳＳＩ回路１４の内部抵抗で決まる時定数による放電特性において、０．０１μｓ当たりの電圧増加が０．０００１Ｖ以下となる時刻を充電特性が安定した時刻として充電特性安定時間を求めた。その結果、充電特性安定時間は０．２５μｓであった（図３参照）。したがって、図３に示すように、本発明によるものは、第２アンテナ１２の受信レベル判定に要する時間を、前述した従来方式の０．４μｓに対し、約０．１５μｓ短縮できることがわかる。これは、従来方式に対し約３８％の時間短縮となる。
【００５３】
次に、本実施形態におけるダイバーシティ受信機１０の動作について、図１及び図４を用いて説明する。図４はダイバーシティ受信機１０のフローチャートである。なお、初期条件として、第１スイッチ１３は第１アンテナ１１を選択し、第２スイッチ１６は端子１６ａを選択しているものとする。
【００５４】
まず、ＲＳＳＩ回路１４は、第１スイッチ１３を介して第１アンテナ１１で信号を受信する（ステップＳ１１）。次いで、ＲＳＳＩ回路１４は、受信信号を対数増幅して包絡線検波し、第１アンテナ１１のＲＳＳＩ電圧信号をＡ／Ｄ変換回路１７に出力する（ステップＳ１２）。このＲＳＳＩ電圧信号は、波形整形回路１５によって波形整形され、Ａ／Ｄ変換回路１７は、波形整形された信号をデジタル信号に変換してＲＳＳＩ電圧判定回路１８に出力する。
【００５５】
続いて、ＲＳＳＩ電圧判定回路１８は、第１アンテナ１１のＲＳＳＩ電圧のデータをレジスタ１９に保持する（ステップＳ１３）。
【００５６】
さらに、ＲＳＳＩ電圧判定回路１８は、第１アンテナ１１から第２アンテナ１２に切り替えるようアンテナ切替制御信号をアンテナ切替制御回路２０に出力し、第１スイッチ１３は第１アンテナ１１から第２アンテナ１２に切り替える（ステップＳ１４）。
【００５７】
このとき、ＲＳＳＩ電圧判定回路１８は、ＲＳＳＩ電圧制御回路２１にＲＳＳＩ電圧制御信号を出力し、第２スイッチ１６の切替動作をＲＳＳＩ電圧制御回路２１に制御させてＲＳＳＩ出力電圧を降下させる（ステップＳ１５）。
【００５８】
ここで、ＲＳＳＩ出力電圧の降下について図１及び図５を用いて具体的に説明する。図５は、第１アンテナ１１のＲＳＳＩ電圧の時間変化を示す図であり、アンテナ切替後においては放電特性のみを示したものである。
【００５９】
図５に示すように、ＲＳＳＩ電圧判定回路１８が、時刻Ｔ１において第１アンテナ１１の受信信号を検出した後、時刻Ｔ２〜Ｔ３の期間で第１アンテナ１１のＲＳＳＩ電圧の測定を終了したとする。このとき、波形整形回路１５のコンデンサＣ１には第１アンテナ１１の受信信号による充電によって電荷が蓄積されている。時刻Ｔ３において、ＲＳＳＩ電圧判定回路１８が、アンテナ切替制御回路２０及び第１スイッチ１３を介して、第１アンテナ１１から第２アンテナ１２に切り替えると、波形整形回路１５の抵抗ＲによってコンデンサＣ１の放電が開始される。
【００６０】
ここで、ＲＳＳＩ電圧判定回路１８が、ＲＳＳＩ電圧制御回路２１を介し、第２スイッチ１６の出力を端子１６ａ→端子１６ｂ→端子１６ａと瞬時に切り替える。その結果、波形整形回路１５のコンデンサＣ１の電荷がコンデンサＣ２に移動して接地に放出することにより、ＲＳＳＩ電圧判定回路１８が入力するＲＳＳＩ電圧は、図５の時刻Ｔ３における実線に示すように急激に降下し、ＲＳＳＩ電圧判定回路１８のｎ倍（例えば４倍）の測定最小分解能を超えることとなる。
【００６１】
したがって、本発明では、図３を用いて説明したように充電特性安定時間の経過後の時刻Ｔ４で第２アンテナ１２のＲＳＳＩ電圧測定が可能となる。これに対して、従来方式では、受信レベル降下手段がないので、受信レベルの低下時は図５に破線で示すように降下し、時刻Ｔ３から時刻Ｔ５までの間においては充分に電圧が降下しておらず、第２アンテナ１２のＲＳＳＩ電圧測定はできない。
【００６２】
図４に戻り、ＲＳＳＩ電圧判定回路１８は、第２アンテナ１２のＲＳＳＩ電圧を測定し、そのＲＳＳＩ電圧のデータをレジスタ１９に保持する（ステップＳ１６）。
【００６３】
ここで、第２アンテナ１２のＲＳＳＩ電圧が第１アンテナ１１よりも大きい場合は、第２アンテナ１２のＲＳＳＩ電圧の測定時間は、ＲＳＳＩ電圧レベルが第１アンテナ１１の測定時に示したレベルに上昇する時間があればよいので、図５に示すように、第１アンテナ１１のＲＳＳＩ電圧測定時間（時刻Ｔ２〜Ｔ３）と同じ時間（時刻Ｔ３〜Ｔ４）で第２アンテナ１２のＲＳＳＩ電圧測定が可能となる。したがって、従来方式では、第２アンテナ１２のＲＳＳＩ電圧測定時間は時刻Ｔ３〜Ｔ５となるので、本発明では、時刻Ｔ４〜Ｔ５の時間が短縮可能となる。
【００６４】
一方、第２アンテナ１２のＲＳＳＩ電圧が第１アンテナ１１のＲＳＳＩ電圧未満の場合、例えば図５に示すような場合は、時刻Ｔ４においてＲＳＳＩ電圧は第１アンテナ１１のＲＳＳＩ電圧未満を維持するので、ＲＳＳＩ電圧判定回路１８は、第１アンテナ１１のＲＳＳＩ電圧未満である第２アンテナ１２のＲＳＳＩ電圧のデータをレジスタ１９に保持する。
【００６５】
続いて、ＲＳＳＩ電圧判定回路１８は、第１アンテナ１１のＲＳＳＩ電圧と第２アンテナ１２のＲＳＳＩ電圧とを比較する（ステップＳ１７）。ＲＳＳＩ電圧判定回路１８は、第１アンテナ１１のＲＳＳＩ電圧が第２アンテナ１２のＲＳＳＩ電圧以上と判断した場合、アンテナ切替制御回路２０にアンテナ切替制御信号を出力し、第１スイッチ１３に第１アンテナ１１を選択させる（ステップＳ１８）。また、ＲＳＳＩ電圧判定回路１８は、第１アンテナ１１のＲＳＳＩ電圧を示すＲＳＳＩ電圧信号をＡＧＣ回路２２に出力する。ＡＧＣ回路２２は、ＲＳＳＩ電圧信号に基づいたＡＧＣ処理を行う（ステップＳ１９）。
【００６６】
一方、ステップＳ１７において、ＲＳＳＩ電圧判定回路１８は、第１アンテナ１１のＲＳＳＩ電圧が第２アンテナ１２のＲＳＳＩ電圧未満と判断した場合、ＲＳＳＩ電圧判定回路１８は、第２アンテナ１２のＲＳＳＩ電圧を示すＲＳＳＩ電圧信号をＡＧＣ回路２２に出力する。ＡＧＣ回路２２は、ＲＳＳＩ電圧信号に基づいたＡＧＣ処理を行う（ステップＳ２０）。
【００６７】
そして、Ａ／Ｄ変換回路２３は、ＡＧＣ回路２２が出力する受信信号をデジタル信号に変換して復調回路２４に出力し、復調回路２４は、実データを含むフレーム信号の受信を開始する（ステップＳ２１）。
【００６８】
以上のように、本実施形態におけるダイバーシティ受信機１０によれば、第１アンテナ１１のＲＳＳＩ電圧を測定した後に該ＲＳＳＩ電圧を、少なくともＲＳＳＩ電圧判定回路１８の測定最小分解能を超えるレベルだけ降下させる構成としたので、ＲＳＳＩ電圧の測定時間短縮化を図ることができる。また、本発明の受信ダイバーシティ回路は、従来のものとは異なり、波形整形手段の時定数を小さくする必要がないので、ＲＳＳＩ電圧の安定化を図ることができる。
【００６９】
なお、前述の実施の形態において、２本のアンテナを切り替える構成を例に挙げて説明したが、本発明はこれに限定されるものではなく、３本以上のアンテナを備えるものでも同様の効果を得ることができる。
【産業上の利用可能性】
【００７０】
以上のように、本発明に係る受信ダイバーシティ回路及びそれを備えたダイバーシティ受信機は、受信レベルの測定時間短縮化及び受信レベルの安定化を図ることができるという効果を有し、複数のアンテナから信号を受信する受信ダイバーシティ回路及びそれを備えたダイバーシティ受信機等として有用である。
【図面の簡単な説明】
【００７１】
【図１】本発明の一実施形態におけるダイバーシティ受信機のブロック図
【図２】従来方式によるＲＳＳＩ回路の充放電特性を示す図
【図３】本発明によるＲＳＳＩ回路の充放電特性を示す図
【図４】本発明の一実施形態におけるダイバーシティ受信機のフローチャート
【図５】本発明の一実施形態におけるダイバーシティ受信機において、ＲＳＳＩ電圧の測定処理の説明図
【図６】無線ＬＡＮの規格の１つであるＩＥＥＥ８０２．１１ａ規格におけるプリアンブル信号の説明図
【符号の説明】
【００７２】
１０  ダイバーシティ受信機
１１  第１アンテナ
１２  第２アンテナ
１３  第１スイッチ
１４  ＲＳＳＩ回路
１５  波形整形回路
１６  第２スイッチ
１６ａ  端子
１６ｂ  端子
１７  Ａ／Ｄ変換回路
１８  ＲＳＳＩ電圧判定回路
１９  レジスタ
２０  アンテナ切替制御回路
２１  ＲＳＳＩ電圧制御回路
２２  ＡＧＣ回路
２３  Ａ／Ｄ変換回路
２４  復調回路
Ｃ１  コンデンサ
Ｃ２  コンデンサ
【図１】
2010050523.tif 000004
【図２】
2010050523.tif 000005
【図３】
2010050523.tif 000006
【図４】
2010050523.tif 000007
【図５】
2010050523.tif 000008
【図６】
2010050523.tif 000009